(57)【要約】【課題】簡易な構造で、計量ホッパに均一に物品を供給することができる組合せ計量装置を提供することである。【解決手段】本発明に係る組合せ計量装置１００においては、トラフ３００により物品が搬送される。当該トラフ３００には、羽根部材３３０が設けられ、羽根部材３３０が回転棒３２０に設けられる。そして、羽根部材３３０が、トラフ３００により物品が搬送される搬送方向（矢印Ｈ１の方向）に対して角度θを有するように設けられるものである。【選択図】図２
2010151456.tif 000002
【特許請求の範囲】
【請求項１】
上流から供給された物品を搬送するフィーダと、
前記フィーダの下流に直線状に併設された複数の計量ホッパと、を備え、
前記複数の計量ホッパにより計量された計量値を組合せる組合せ計量装置であって、
物品を搬送するトラフと、
前記トラフに設けられた分散部材と、
前記分散部材に設けられた分散羽根とを含み、
前記分散羽根は、前記分散部材に取り付けられ、前記トラフにより前記物品が搬送される搬送方向に対して角度を有するように設けられたことを特徴とする組合せ計量装置。
【請求項２】
前記分散部材は、前記トラフの上流側に設けられた回転棒からなり、前記分散羽根は、前記回転棒に取り付けられたことを特徴とする請求項１記載の組合せ計量装置。
【請求項３】
前記分散羽根は、複数の羽根状部材からなることを特徴とする請求項１または請求項２記載の組合せ計量装置。
【請求項４】
前記複数の羽根状部材は、前記トラフの上流側から下流側に向けて放射状に前記物品を搬送することを特徴とする請求項３記載の組合せ計量装置。
【請求項５】
前記分散羽根は、平板部材からなることを特徴とする請求項１から請求項４のいずれか１項に記載の組合せ計量装置。
【発明の詳細な説明】
【技術分野】
【０００１】
本発明は、供給された物品を複数の計量ホッパに供給する組合せ計量装置に関する。
【背景技術】
【０００２】
従来、複数の計量ホッパに物品を供給し、計量ホッパ内の物品の重量値を組合せて所定重量の物品を一纏めにする組合せ計量装置が用いられている。この組合せ計量装置においては、日々、開発研究が行われている。
【０００３】
例えば、特許文献１には、組合せ計量装置に用いる原料供給装置について開示されている。特許文献１の原料供給装置では、直進フィーダに供給された食品を直進フィーダからこぼすことなく、かつ直進フィーダ上で食品が滞留することなく、直進フィーダの下流端の方へ順次移動させることができるものである。
【０００４】
特許文献１記載の原料供給装置においては、上流部を中心として水平面内において回動するようになった分配供給フィーダと、該分配供給フィーダの先端下方部に互いに平行に配列され、分配供給フィーダから固形物を受け取り下流側に移送するための複数の直進フィーダとを有しており、該直進フィーダの各々の上流側の端部が、前記分配供給フィーダの分配トラフの下流側の端部の回動軌跡に沿って略弧状になるように位置決めされているものである。
【０００５】
【特許文献１】特開昭６４−７４４２３号公報
【発明の開示】
【発明が解決しようとする課題】
【０００６】
しかしながら、特許文献１記載の原料供給装置においては、分配配給フィーダの先端を略弧状に移動させる機構が必要となり、製造コストがかかる。また、計量ホッパの個数が増加するに伴い、分配配給フィーダの長さが必要となり、装置のフットスペースが増加するという問題点がある。
【０００７】
本発明の目的は、簡易な構造で、計量ホッパに均一に物品を供給することができる組合せ計量装置を提供することである。
本発明の他の目的は、簡易な構造で、直線状に並列に配設された計量ホッパに均一に物品を供給することができる組合せ計量装置を提供することである。
【課題を解決するための手段】
【０００８】
（１）
本発明に係る組合せ計量装置は、上流から供給された物品を搬送するフィーダと、フィーダの下流に直線状に併設された複数の計量ホッパとを備え、複数の計量ホッパにより計量された計量値を組合せる組合せ計量装置であって、物品を搬送するトラフと、トラフに設けられた分散部材と、分散部材に設けられた分散羽根とを備え、分散羽根は、分散部材に取り付けられ、トラフにより物品の搬送される搬送方向に対して角度を有するように設けられるものである。
【０００９】
本発明に係る組合せ計量装置においては、トラフにより物品が搬送される。当該トラフには、分散部材が設けられ、分散羽根が分散部材に設けられる。
【００１０】
この場合、分散羽根が、トラフにより物品が搬送される搬送方向に対して角度を有するように設けられるものである。ここで、トラフの搬送方向に対して角度を有するとは、物品がトラフ上を搬送される方向に向かってトラフの中央からトラフの両端側に向けて分散羽根が設けられることを意味する。したがって、角度を有しない場合とは、トラフの搬送方向と同じ方向に向けて分散羽根が設けられることを意味する。
その結果、分散羽根の働きにより物品がトラフ上を均一に搬送される。そして、フィーダの下流に直線状に併設された複数の計量ホッパに均一に物品を搬送することができる。したがって、組合せ計量装置の稼動率を上げることができ、安定して物品の計量および組合せを行うことができる。
【００１１】
（２）
分散部材は、トラフの上流側に設けられた回転棒からなり、分散羽根は、回転棒に取り付けられてもよい。
【００１２】
この場合、回転棒に分散羽根が設けられているので、回転棒が回転されることにより、分散羽根がトラフ上で物品を拡散することができる。その結果、物品を下流の複数の計量ホッパに均一に搬送させることができる。
【００１３】
（３）
分散羽根は、複数の羽根状部材からなってもよい。
【００１４】
分散羽根は、複数の羽根状部材からなるので、トラフ上の多量の物品を効率よく拡散することができる。その結果、物品を下流の複数の計量ホッパに均一に搬送させることができる。
【００１５】
（４）
複数の羽根状部材は、トラフの上流側から下流側に向けて放射状に物品を搬送することが好ましい。
【００１６】
この場合、複数の羽根状部材は、トラフの上流側から下流側に向けて放射状に物品を搬送できるように、回転棒におけるトラフの中央から両端側に向けて徐々に角度が大きくなるように設けられている。当該角度は、トラフにより物品の搬送される搬送方向に対する角度である。その結果、トラフ上の多量の物品を均一に拡散することができる。
【００１７】
（５）
分散羽根は平板部材からなってもよい。
【００１８】
この場合、分散羽根は、平板部材からなるので、トラフ上の物品に対して確実に接触でき、物品を確実に拡散することができる。
【発明を実施するための最良の形態】
【００１９】
以下、本発明に係る実施の形態について図面を用いて説明する。
（一実施の形態）
図１は、一実施の形態に係る組合せ計量装置１００の一例を示す模式的側面図である。
【００２０】
図１に示す組合せ計量装置１００は、主に物品供給部２００、トラフ３００、直進フィーダ４００、計量ホッパ５００およびシュート６００を含む。
【００２１】
図１に示すように、上流から下流に向けて物品供給部２００、トラフ３００、直進フィーダ４００、計量ホッパ５００およびシュート６００が配設される。直進フィーダ４００の下部に、加振装置４２０が設けられる。
【００２２】
まず、物品供給部２００から物品がトラフ３００に供給され、トラフ３００から直進フィーダ４００に物品が供給され、直進フィーダ４００から計量ホッパ５００に物品が供給される。なお、計量ホッパ５００は、図面奥方向に直線状に併設して同数設けられている。
【００２３】
これら複数の計量ホッパ５００のうち一部の計量ホッパ５００の組合せにより所定重量の物品が一纏まりでシュート６００に供給される。それにより、所定重量の一纏まりの物品の包装を行うことができる。
【００２４】
次に、図２および図３は、トラフ３００の詳細を説明するための模式的平面図である。図２は、図１の組合せ計量装置１００のトラフ３００、直進フィーダ４００および計量ホッパ５００の上方矢視の平面図であり、図３は、トラフ３００の羽根部材３３０の拡大平面図である。
【００２５】
まず、図２に示すように、トラフ３００およびトラフ３００の下流側（図中矢印Ｈ１の方向）には、直進フィーダ４００および計量ホッパ５００が設けられる。
【００２６】
図２のトラフ３００は、トラフ板３１０、回転棒３２０、羽根部材３３０および回転機構３５０を備える。また、直進フィーダ４００は、直進フィーダ４０１，〜，４０８からなり、計量ホッパ５００は、計量ホッパ５０１，〜，５０８からなる。直進フィーダ４０１の下流に計量ホッパ５０１が設けられ、直進フィーダ４０２の下流に計量ホッパ５０２が設けられ、直進フィーダ４０３の下流に計量ホッパ５０３が設けられ、直進フィーダ４０４の下流に計量ホッパ５０４が設けられ、直進フィーダ４０５の下流に計量ホッパ５０５が設けられ、直進フィーダ４０６の下流に計量ホッパ５０６が設けられ、直進フィーダ４０７の下流に計量ホッパ５０７が設けられ、直進フィーダ４０８の下流に計量ホッパ５０８が設けられる。
【００２７】
また、図３に示すように、羽根部材３３０は、複数の羽根３３１，〜，３４２および取付棒３５１，〜，３６２からなる。回転棒３２０に取付棒３５１，〜，３６２が設けられ、取付棒３５１，〜，３６２にそれぞれ複数の羽根３３１，〜，３４２が固定される。また、取付棒３５１，３５３，３５５，３５８，３６０，３６２は、取付棒３５２，３５４，３５６，３５７，３５９，３６１と回転棒３２０を軸として逆側に設けられる。また、複数の羽根３３１，〜，３４２は、平板部材からなる。また、図２に示す回転機構３５０は、モータおよびギアを有し、複数の羽根３３１，〜，３４２が取付られた回転棒３２０を軸中心で回転させる。
【００２８】
次に、図４は、羽根部材３３０の一部を拡大した模式的拡大図である。
【００２９】
図４に示すように、羽根部材３３０の羽根３３１，〜，３３６は、回転棒３２０と垂直な方向から、角度θだけ傾斜して配設される。なお、複数の羽根３３１，〜，３３６と、複数の羽根３３７，〜，３４２とは、矢印Ｈ１の方向（図２参照）を線対称とした状態で設けられている。すなわち、複数の羽根３３７，〜，３４２は、回転棒３２０と垂直な方向から、角度−θだけ傾斜して配設される。
【００３０】
この場合、トラフ板３１０の中央部に物品が搬入された場合であっても、回転棒３２０および羽根部材３３０によりトラフ３００の全体に均一に物品を分散することができ、直進フィーダ４０１，〜，４０８に均一に物品を供給することができる。
【００３１】
それにより、トラフ板３１０上の中央に供給された物品が、複数の羽根３３１，〜，３４２により直進フィーダ４０１乃至直進フィーダ４０８のいずれにもほぼ均等に物品が搬送され、計量ホッパ５０１および計量ホッパ５０８の稼働率を高めることができる。その結果、効率よく計量ホッパに均一に物品を供給することができる。
【００３２】
（他の例）
次いで、図５は、図４示す羽根部材３３０の他の例を拡大した模式的拡大図である。
【００３３】
図５に示すように、羽根部材３３０ａの羽根３３１ａは、回転棒３２０と垂直な方向から、角度θ１傾斜して配設され、羽根部材３３０ａの羽根３３２ａは、回転棒３２０と垂直な方向から、角度θ２傾斜して配設され、羽根部材３３０ａの羽根３３３ａは、回転棒３２０と垂直な方向から、角度θ３傾斜して配設され、羽根部材３３０ａの羽根３３４ａは、回転棒３２０と垂直な方向から、角度θ４傾斜して配設され、羽根部材３３０ａの羽根３３５ａは、回転棒３２０と垂直な方向から、角度θ５傾斜して配設され、羽根部材３３０ａの羽根３３６ａは、回転棒３２０と垂直な方向に配設される。ここで、角度θ１から角度θ５は、角度θ１＞角度θ２＞角度θ３＞角度θ４＞角度θ５の関係を有する。
【００３４】
なお、複数の羽根３３１ａ，〜，３３６ａと、複数の羽根３３７ａ，〜，３４２ａとは、矢印Ｈ１の方向（図２参照）を線対称とした状態で設けられている。すなわち、羽根部材３３０ａの羽根３３７ａは、回転棒３２０と垂直な方向から、角度−θ１傾斜して配設され、羽根部材３３０ａの羽根３３８ａは、回転棒３２０と垂直な方向から、角度−θ２傾斜して配設され、羽根部材３３０ａの羽根３３９ａは、回転棒３２０と垂直な方向から、角度−θ３傾斜して配設され、羽根部材３３０ａの羽根３４０ａは、回転棒３２０と垂直な方向から、角度−θ４傾斜して配設され、羽根部材３３０ａの羽根３４１ａは、回転棒３２０と垂直な方向から、角度−θ５傾斜して配設され、羽根部材３３０ａの羽根３４２ａは、回転棒３２０と垂直な方向に配設される。ここで、角度−θ１から角度−θ５は、相対角度として、角度−θ１＞角度−θ２＞角度−θ３＞角度−θ４＞角度−θ５の関係を有する。
【００３５】
この場合、トラフ板３１０ａの中央部に物品が搬入された場合であっても、回転棒３２０および羽根部材３３０ａによりトラフ３００ａの全体に均一に物品を分散することができ、直進フィーダ４０１，〜，４０８に均一に物品を供給することができる。特に、羽根部材３３１ａの角度θ１が最も傾斜してもうけられているので、物品が羽根部材３３１ａの下流側に搬送されにくく、角度θ２、角度θ３、角度θ４，角度θ５に変化するにつれて、各羽根部材３３１ａ，〜，羽根部材３３６ａの下流側に搬送されやすくなる。
【００３６】
それにより、トラフ板３１０ａ上の中央に供給された物品が、複数の羽根３３１ａ，〜，３４２ａにより直進フィーダ４０１乃至直進フィーダ４０８のいずれにもほぼ均等に物品が搬送され、計量ホッパ５０１および計量ホッパ５０８の稼働率を高めることができる。その結果、効率よく計量ホッパに均一に物品を供給することができる。
【００３７】
以上のように、本発明に係る組合せ計量装置１００では、回転棒３２０に羽根部材３３０が設けられているので、回転棒３２０が回転されることにより、羽根部材３３０が物品と接触してトラフ３００上に均一に拡散することができる。その結果、直進フィーダ４００の下流に直線状に併設された複数の計量ホッパ５０１，〜，５０８に均一に物品を搬送することができる。したがって、組合せ計量装置１００の稼動率を上げることができ、安定して物品の計量および組合せを行うことができる。
【００３８】
また、羽根部材３３１ａ，〜，３４２ａは、トラフ３００の上流側から下流側（矢印Ｈ１の方向）に向けて放射状に物品を搬送できるように、回転棒３２０におけるトラフ３００の中央から両端側に向けて徐々に角度θ１，〜，θ５が大きな値になるように設けられている。その結果、トラフ板３１０の中央部に供給された物品をトラフ３００の両端側に向けて拡散することができるので、組合せ計量装置１００の稼動率を上げることができ、安定して物品の計量および組合せを行うことができる。
【００３９】
本実施の形態においては、直進フィーダ４００は、フィーダに相当し、計量ホッパ５００は、複数の計量ホッパに相当し、組合せ計量装置１００は、組合せ計量装置に相当し、トラフ３００がトラフに相当し、回転棒３２０および羽根部材３３０，３３０ａが分散部材に相当し、羽根部材３３０，３３０ａが分散羽根に相当し、角度θ，θ１，θ２，θ３，θ４，θ５，−θ１，−θ２，−θ３，−θ４，−θ５が搬送される搬送方向に対して角度に相当し、回転棒３２０が回転棒に相当し、複数の羽根３３１，〜，３４２および複数の羽根３３１ａ，〜，３４２ａが複数の羽根状部材に相当し、複数の羽根３３１ａ，〜，３４２ａの配置がトラフの上流側から下流側に向けて放射状に相当し、複数の羽根３３１，〜，３４２および複数の羽根３３１ａ，〜，３４２ａが平板部材に相当する。
【００４０】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００４１】
【図１】一実施の形態に係る組合せ計量装置の一例を示す模式的側面図
【図２】図１の組合せ計量装置のトラフ、直進フィーダおよび計量ホッパを上から視野した平面図
【図３】トラフの羽根部材の拡大平面図
【図４】羽根部材の一部を拡大した模式的拡大図
【図５】図４示す羽根部材の他の例を拡大した模式的拡大図
【符号の説明】
【００４２】
１００  組合せ計量装置
３００  トラフ
３２０  回転棒
３３０  羽根部材
４００  直進フィーダ
５００  計量ホッパ
【図１】
2010151456.tif 000003
【図２】
2010151456.tif 000004
【図３】
2010151456.tif 000005
【図４】
2010151456.tif 000006
【図５】
2010151456.tif 000007